(57)【要約】【課題】  床置型デシカント式換気扇の設置位置が平面計画に影響を与えにくい建物を提供することを目的とする。【解決手段】  建物Ａは、１階と２階とを備える。建物Ａには、１階と２階とをつなぐ階段１０が設けられる。階段１０の下方には、階段下空間Ｘが設けられる。階段下空間Ｘ内に、デシカント式換気扇２が設けられる。【選択図】  図１
2014145197.tif 000002
【特許請求の範囲】
【請求項１】
上階及び下階をつなぐ階段と、
前記階段の下方の空間に設置される床置型デシカント式換気扇と、
を備える建物。
【請求項２】
前記空間の床レベルは、前記下階の一般部の床レベルよりも低い、請求項１に記載の建物。
【請求項３】
前記床置型デシカント式換気扇から上方へ配管されるダクトは、前記階段に沿って立ち上げられる、請求項１又は２に記載の建物。
【請求項４】
前記空間の奥側に前記床置型デシカント式換気扇が設置され、
前記空間の手前側は収納室である、
請求項１〜３のいずれか一項に記載の建物。
【請求項５】
前記空間の奥側に前記床置型デシカント式換気扇が設置され、
前記空間の手前側は乾燥室である、
請求項１〜３のいずれか一項に記載の建物。
【発明の詳細な説明】
【技術分野】
【０００１】
本発明は、床置型デシカント式換気扇が設置された建物に関する。
【背景技術】
【０００２】
例えば特許文献１に記載されているように、建物内の換気を行う床置型デシカント式換気扇がある。この床置型デシカント式換気扇は、換気の際に、給気と排気との間で熱交換を行うと共に水分の授受を行っている。このような床置型デシカント式換気扇は、大型の機器であるため、床置型デシカント式換気扇の設置場所が建物の平面計画に影響を与えやすい。そこで、特許文献２には、建物の１階部分と２階部分との間に床置型デシカント式換気扇を設置することが記載されている。
【先行技術文献】
【特許文献】
【０００３】
【特許文献１】特開２０１１−００７３６２号公報
【特許文献２】特開２００９−００２６４１号公報
【発明の概要】
【発明が解決しようとする課題】
【０００４】
特許文献２に記載されているように、建物の１階部分と２階部分との間に床置型デシカント式換気扇を設置するためには、特殊な階層構成とする必要がある。このため、特許文献２に記載されているような床置型デシカント式換気扇の設置構成は、一般的な住宅には適用しにくい。
【０００５】
そこで、本発明は、床置型デシカント式換気扇の設置位置が平面計画に影響を与えにくい建物を提供することを目的とする。
【課題を解決するための手段】
【０００６】
本発明の建物は、階段と、床置型デシカント式換気扇とを備える。階段は、建物の上階及び下階をつなぐ。床置型デシカント式換気扇は、階段の下方の空間に設置される。
【０００７】
この建物では、一般部に比べて天井高が充分確保できず活用されにくい階段の下方の空間を、床置型デシカント式換気扇の設置場所として有効利用することができる。また、階段の下方の空間は普段生活する空間ではないので、床置型デシカント式換気扇から発生する音や熱の影響を受けにくい。このように、床置型デシカント式換気扇の設置位置が平面計画に影響を与えにくい建物を提供することができる。
【０００８】
階段の下方の空間の床レベルは、下階の一般部の床レベルよりも低いことが好ましい。このように、階段の下方の空間の床レベルを低く設定することで、階段の下方の空間の天井高を稼ぐことができ、ダクトの配管が容易となる。また、階段の下方の空間は、普段通行したり生活したりする空間ではないので、階段の下方の空間の床に段差が生じても生活への影響は小さい。
【０００９】
床置型デシカント式換気扇から上方へ配管されるダクトは、階段に沿って立ち上げられることが好ましい。この場合には、階段という固定的なものに沿ってダクトを立ち上げることで、例えば、建物の間取りを改変する際に、ダクトが邪魔になりにくい（ダクトを移動する必要性が減る）。
【００１０】
空間の奥側に床置型デシカント式換気扇が設置され、空間の手前側は収納室であることが好ましい。このように、床置型デシカント式換気扇を奥側に設置することで、デッドスペースとなりやすい階段の下方の奥側の空間を有効活用できる。また、床置型デシカント式換気扇は日常的なメンテナンス等が不要であり、使い勝手上の影響は小さい。更に、床置型デシカント式換気扇を階段の下方の空間の奥側に設置することで、手前側の空間を収納室として利用することができる。
【００１１】
空間の奥側に床置型デシカント式換気扇が設置され、空間の手前側は乾燥室であることが好ましい。この場合には、床置型デシカント式換気扇で発生する熱を乾燥室で使用する熱源として利用することができる。
【発明の効果】
【００１２】
本発明によれば、床置型デシカント式換気扇の設置位置が平面計画に影響を与えにくくなる。
【図面の簡単な説明】
【００１３】
【図１】実施形態に係る建物の階段下空間を示す１階の平面図である。
【図２】図１のＩＩ−ＩＩ線に沿った断面図である。
【図３】図１のＩＩＩ−ＩＩＩ線に沿った断面図である。
【図４】実施形態に係る建物の階段周りにおける２階の平面図である。
【図５】階段下空間を収納室として使用する様子、及び、乾燥室として使用する様子を示す図である。
【発明を実施するための形態】
【００１４】
以下、本発明の好適な実施形態について図面を参照しながら説明する。なお、図面の説明において同一の要素には同一の符号を付し、重複する説明を省略する。
【００１５】
図１〜図４に示すように、建物Ａは２階建ての建物であり、建物Ａの１階の角部には、１階（下階）と２階（上階）とをつなぐ階段１０が設けられる。階段１０は、Ｕターン型の階段（昇り始めの位置と昇りきりの位置が略同一線上にあり、階段１０の昇降方向の中間部近傍に設けられた踊り場１０ａで昇降方向が１８０度変わる階段）を備える。階段１０を構成する段板、力桁、支柱等は鋼材で構成される。階段１０の段板の下方には、階段下空間（空間）Ｘが設けられる。
【００１６】
階段１０の昇りきりの位置の直下は、支柱等がなく開口している。階段１０の昇りきりの位置の直下の開口部には、階段下空間Ｘと階段１０につながる廊下Ｙとを仕切る建具１５が設けられる。この建具１５は、人の出入りが可能な高さが確保されている。
【００１７】
階段１０のうち、踊り場１０ａと２階とをつなぐ部分の直下の階段下空間Ｘの天井高は、昇りきりの位置から踊り場１０ａの方向に向かって徐々に低くなっている。また、階段１０のうち踊り場１０ａと１階とをつなぐ部分の直下の階段下空間Ｘの天井高は、踊り場１０ａの位置から昇り始めの位置の方向に向かって徐々に低くなっている。
【００１８】
階段下空間Ｘの床レベルは１階の一般部の床レベル（廊下Ｙの床レベル）よりも、３０〜４０ｃｍ程度低く設定されている。階段下空間Ｘの床面において建具１５に接続される部分には、建具１５を介して廊下Ｙと階段下空間Ｘとの往来を容易にするための階段１１が設けられる。
【００１９】
階段下空間Ｘの奥側、即ち、階段下空間Ｘにおける踊り場１０ａの直下の近傍には、床置型デシカント式換気扇（以下「デシカント式換気扇」という」）２が設置される。デシカント式換気扇２は床置き式であり、階段下空間Ｘの床面上に設置され、更に、床面に固定される。デシカント式換気扇２の筐体には点検口２０が設けられ、点検口２０を介して内部の点検等が可能となっている。デシカント式換気扇２は、点検口２０が建具１５側を向くように設置される。
【００２０】
デシカント式換気扇２は、顕熱交換器ユニット２ａ、デシカント式除湿器ユニット２ｂ、及び、デシカント式加湿器ユニット２ｃを備える。顕熱交換器ユニット２ａは、建物Ａに設けられた居室の換気を行うものである。顕熱交換器ユニット２ａは、建物Ａ外から取り込んだ外気と居室から排出された空気との間で熱交換を行い、熱交換後の外気を居室へ供給することで居室の冷暖房効果を損なうことなく換気を行う。
【００２１】
デシカント式除湿器ユニット２ｂは、居室内の空気の除湿を行うものである。デシカント式除湿器ユニット２ｂは、水分を吸着又は脱着する性質を有する吸着素子を備える。吸着素子は、建物Ａ外から取り込んだ外気に含まれる水分を吸着する。デシカント式除湿器ユニット２ｂは、吸着素子によって水分が吸着されることで除湿された外気を居室へ供給する。吸着素子は、居室から排出された空気に水分を脱着させる。また、デシカント式除湿器ユニット２ｂは、除湿再生器を備える。除湿再生器は、居室から排出された空気を加熱することで、吸着素子からの水分の脱着を促進させる。
【００２２】
デシカント式加湿器ユニット２ｃは、居室内の空気の加湿を行うものである。デシカント式加湿器ユニット２ｃは、水分を吸着又は脱着する性質を有する吸着素子を備える。吸着素子は、居室から排出された空気に含まれる水分を吸着する。吸着素子は、建物Ａ外から取り込んだ外気に水分を脱着して外気を加湿する。デシカント式加湿器ユニット２ｃは、加湿された外気を居室へ供給する。また、デシカント式加湿器ユニット２ｃは、加湿再生器を備える。加湿再生器は、建物Ａ外から取り込んだ外気を加熱することで、吸着素子からの水分の脱着を促進させる。
【００２３】
なお、デシカント式除湿器ユニット２ｂに設けられた除湿再生機器、及び、デシカント式加湿器ユニット２ｃに設けられた加湿再生器において空気を加熱する際の熱源として、例えば、建物Ａに別途設けられたヒートポンプ式のエアコンや給湯器の室外機（空気熱交換器）で生じる熱を利用することができる。
【００２４】
デシカント式換気扇２の上面には、外気ダクト２１、排気ダクト２２、給気ダクト２５、及び、還気ダクト２６が接続される。外気ダクト２１は、建物Ａ外からデシカント式換気扇２内に外気を取り入れるためのものである。排気ダクト２２は、デシカント式換気扇２から建物Ａ外へ空気を排出するためのものである。給気ダクト２５は、デシカント式換気扇２から建物Ａ内の各居室へ空気を供給するためのものである。還気ダクト２６は、建物Ａ内の各居室からデシカント式換気扇２へ空気を戻すためのものである。
【００２５】
顕熱交換器ユニット２ａ、デシカント式除湿器ユニット２ｂ、及び、デシカント式加湿器ユニット２ｃは、それぞれ外気ダクト２１、排気ダクト２２、給気ダクト２５、及び、還気ダクト２６に接続されている。
【００２６】
これにより、顕熱交換器ユニット２ａは、上述したように、外気ダクト２１を通じて外気を取り込んで給気ダクト２５を通じて各居室へ供給し、還気ダクト２６を通じて各居室からの空気を取り込んで排気ダクト２２を通じて排気することで居室内の換気を行う。同様に、デシカント式除湿器ユニット２ｂは、上述したように、外気ダクト２１を通じて外気を取り込んで給気ダクト２５を通じて各居室へ供給し、還気ダクト２６を通じて各居室からの空気を取り込んで排気ダクト２２を通じて排気することで居室内の除湿を行う。同様に、デシカント式加湿器ユニット２ｃは、上述したように、外気ダクト２１を通じて外気を取り込んで給気ダクト２５を通じて各居室へ供給し、還気ダクト２６を通じて各居室からの空気を取り込んで排気ダクト２２を通じて排気することで居室内の加湿を行う。
【００２７】
外気ダクト２１及び排気ダクト２２は、デシカント式換気扇２の上面から階段下空間Ｘの奥側（建具１５に対向する壁面側）に向けて延び、階段下空間Ｘの奥側の外壁に設けられた外気取入口及び排気口にそれぞれ接続される。
【００２８】
給気ダクト２５は、デシカント式換気扇２の上面から、階段１０の側部において建物Ａの１階と２階とに亘って設けられる階段壁部１０ｂに向けて屈曲され、更に、階段壁部１０ｂ内を階段１０に沿って上方向に延伸されている。また、給気ダクト２５は、１階天井裏空間で１階用給気ダクト２５ａと２階用給気ダクト２５ｂとに分岐する。１階用給気ダクト２５ａは、１階天井裏で横引きされ、１階の各居室に空気を供給する。２階用給気ダクト２５ｂは、階段壁部１０ｂ内を通って２階天井裏まで延び、２階の天井裏で横引きされて２階の各居室に空気を供給する。
【００２９】
還気ダクト２６は、給気ダクト２５と同様に、デシカント式換気扇２の上面から、階段壁部１０ｂに向けて屈曲され、更に、階段壁部１０ｂ内を階段１０に沿って上方向に延伸されている。また、還気ダクト２６は、１階天井裏空間で１階用還気ダクト２６ａと２階用還気ダクト２６ｂとに分岐する。１階用還気ダクト２６ａは、１階天井裏で横引きされ、１階の各居室からの空気をデシカント式換気扇２に戻す。２階用還気ダクト２６ｂは、２階の天井裏を通って横引きされ、２階の各居室からの空気をデシカント式換気扇２に戻す。
【００３０】
図５に示すように。階段下空間Ｘのうち、デシカント式換気扇２よりも建具１５側の手前側空間Ｘａは、収納室として利用可能となっている。手前側空間Ｘａを収納室として利用する場合、手前側空間Ｘａに収納棚３０を配置することができる。この収納棚３０は、吊りレールによって階段下空間Ｘの手前側から奥側へ、又は、奥側から手前側へ移動可能に吊り下げることができる。また、収納棚３０が階段下空間Ｘの手前側から奥側へ、又は、奥側から手前側へ移動可能となるように、収納棚３０の下面にキャスターを取り付けてもよい。この場合、収納棚３０の移動が容易となるように、手前側空間Ｘａ内に、手前側空間Ｘａの床面の高さを廊下Ｙの床面の高さに合わせるための仮床４０を着脱自在に設置することができる。
【００３１】
このように、収納棚３０を移動可能に手前側空間Ｘａ内に設置し、収納棚３０を廊下側へ引き出すことで、デシカント式換気扇２の点検口２０前の空間を開放することができ、点検口２０を介したデシカント式換気扇２の点検作業等が可能となる。なお、手前側空間Ｘａを収納室として使用する以外にも乾燥室として使用することができる。この場合には、図５に示すように、手前側空間Ｘａに、衣類を掛けたハンガーを引っ掛けるためのハンガーパイプ５０を設置することができる。
【００３２】
本実施形態は以上のように構成され、建物Ａでは、一般部に比べて天井高が充分確保できず活用されにくい階段１０の下方の階段下空間Ｘを、デシカント式換気扇２の設置場所として有効利用できる。また、階段下空間Ｘは普段生活する空間ではないので、デシカント式換気扇２から発生する音や熱の影響を受けにくい。このように、デシカント式換気扇２の設置位置が平面計画に影響を与えにくい建物Ａを提供することができる。
【００３３】
階段下空間Ｘの床レベルを１階の廊下Ｙの床レベルよりも低く設定することで、階段下空間Ｘの天井高を稼ぐことができ、外気ダクト２１等の配管が容易となる。また、階段下空間Ｘは、普段通行したり生活したりする空間ではないので、階段下空間Ｘの床と廊下Ｙの床とに段差が生じても生活への影響は小さい。
【００３４】
デシカント式換気扇２から上方へ配管される給気ダクト２５及び還気ダクト２６は、階段１０に沿って立ち上げられる。このように、階段１０という固定的なものに沿って給気ダクト２５及び還気ダクト２６を立ち上げることで、例えば、建物Ａの間取りを改変する際に、給気ダクト２５等が邪魔になりにくい（給気ダクト２５等を移動する必要性が減る）。
【００３５】
デシカント式換気扇２を階段下空間Ｘの奥側に設置することで、デッドスペースとなりやすい階段下空間Ｘの奥側の空間を有効活用できる。また、デシカント式換気扇２は日常的なメンテナンス等が不要であり、使い勝手上の影響は小さい。更に、デシカント式換気扇２を階段下空間Ｘの奥側に設置することで、手前側空間Ｘａを収納室又は乾燥室として利用することができる。
【００３６】
また、手前側空間Ｘａを乾燥室として利用する場合には、デシカント式換気扇２で発生する熱を乾燥室用の熱源として利用することができる。
【００３７】
以上、本発明の一実施形態について説明したが、本発明は、上記実施形態に限定されるものではない。例えば、上述した階段１０の構成、外気ダクト２１等の配管構成、建物Ａの構成等は一例であり、上述した構成に限定されるものではない。また、デシカント式換気扇２は、顕熱交換器ユニット２ａ、デシカント式除湿器ユニット２ｂ及びデシカント式加湿器ユニット２ｃを備えるものとしたが、この構成に限定されるものではない。
【符号の説明】
【００３８】
２…デシカント式換気扇（床置型デシカント式換気扇）、１０…階段、２１…外気ダクト、２２…排気ダクト、２５…給気ダクト（上方へ配管されるダクト）、２６…還気ダクト（上方へ配管されるダクト）、Ａ…建物、Ｙ…廊下（下階の一般部）、Ｘ…階段下空間（空間）、Ｘａ…手前側空間（収納室、乾燥室）。
【図１】
2014145197.tif 000003
【図２】
2014145197.tif 000004
【図３】
2014145197.tif 000005
【図４】
2014145197.tif 000006
【図５】
2014145197.tif 000007